(57)【要約】【目的】  ダイアフラムを第２取付金具とカシメにより結合して組み立てていたので、工数が多くなり、かつダイアフラムにリングが必要なため、部品点数及び重量が多くなる。そこでこれらを解決することを目的とする。【構成】  複合樹脂ブラケット３を金属補強部１７と樹脂部１８の複合体とし、樹脂部１８に受け部３２を設け、この受け部３２ダイアフラム８の外周部３３を一体化する。外周部３３上に仕切り部材９を重ね、さらにその上から第１取付金具４及びインシュレータ５が一体化された円筒金具７を金属補強部１７の内側へ圧入し、金属補強部１７の上端に設けた爪形状等の上端部２９を円筒金具７の上端部位で内側に折り曲げてカシメにより全体を結合一体化する。【選択図】図３
2006189061.tif 000002
【特許請求の範囲】
【請求項１】
振動源へ取付けられる第１取付金具と、振動受側へ取付けられる樹脂製ブラケットと、この樹脂製ブラケットに嵌合する第２取付金具と、この第２取付金具と第１取付金具を結合する弾性体のインシュレータと、このインシュレータの内側に形成される液室と、この液室内を仕切る仕切り部材と、液室の開口端を塞ぐダイアフラムとを備えた液封防振装置において、前記ダイアフラムを前記樹脂製ブラケットと一体に形成したことを特徴とする液封防振装置。
【請求項２】
前記樹脂製ブラケットとダイアフラムの外周部との接合部は接着剤により結合していることを特徴とする請求項１の液封防振装置。
【請求項３】
前記ダイアフラムの外周部をテーパー状にしたことを特徴とする請求項１の液封防振装置。
【請求項４】
前記樹脂製ブラケットは樹脂と金属の複合体であり、少なくとも前記第２取付金具の嵌合する部分を金属部としたことを特徴とする請求項１の液封防振装置。
【請求項５】
前記ダイアフラムの上へ仕切り部材を乗せ、さらにその上から第２取付金具を重ねてその先端部と前記樹脂製ブラケットの金属部分先端部とを結合することにより、積み上げ式で組立てたことを特徴とする請求項４の液封防振装置。
【請求項６】
前記第２取付金具の外周部に空気の逃げ凹部を形成したことを特徴とする請求項５の液封防振装置。
【請求項７】
前記第２取付金具の外周部にシールを設けたことを特徴とする請求項５の液封防振装置。
【請求項８】
前記ダイアフラムの外周部と樹脂製ブラケットの金属が非接着であることを特徴とする請求項６の液封防振装置。
【発明の詳細な説明】
【技術分野】
【０００１】
この発明は、液封エンジンマウントのような防振装置であって、樹脂化したブラケットを有するものに関する。
【背景技術】
【０００２】
防振本体部は第１取付金具と第２取付金具をインシュレータで連結し、インシュレータ内側に液室を設けるとともに、この液室の開口部をダイアフラムで覆っている。このダイアフラムは外周部にリング金具を一体化し、このリング金具と第２取付金具等の端部とをカシメにより固定している。
【０００３】
【特許文献１】特開平１０−４７４２４号公報
【特許文献２】特開平１１−２５７４１３号公報
【特許文献３】特開２０００−７４１２７号公報
【特許文献４】特開２０００−２６６１０４号公報
【発明の開示】
【発明が解決しようとする課題】
【０００４】
ところで、上記ダイアフラムの構造によると、ダイアフラムと第２取付金具等とのカシメ工程が必要となり、組立工数が多くなる。また、ダイアフラムにリング金具が必要なため、部品点数が多くなり重量を増加する。さらに、複数の内蔵構造物を積み上げ式等で組立てる場合には、公差によりシール性にバラつきが生じる可能性がある。そこで本願発明はこのような課題の解決を目的とする。
【課題を解決するための手段】
【０００５】
上記課題を解決するため本願発明の液封防振装置に係る請求項１は、振動源へ取付けられる第１取付金具と、振動受側へ取付けられる樹脂製ブラケットと、この樹脂製ブラケットに嵌合する第２取付金具と、この第２取付金具と第１取付金具を結合する弾性体のインシュレータと、このインシュレータの内側に形成される液室と、この液室内を仕切る仕切り部材と、液室の開口端を塞ぐダイアフラムとを備えた液封防振装置において、前記ダイアフラムを前記樹脂製ブラケットと一体に形成したことを特徴とする。
【０００６】
請求項２は上記請求項１において、前記樹脂製ブラケットとダイアフラムの外周部との接合部は接着剤により結合していることを特徴とする。
【０００７】
請求項３は上記請求項１において、前記ダイアフラムの外周部をテーパー状にしたことを特徴とする。
【０００８】
請求項４は上記請求項１において、前記樹脂製ブラケットは樹脂と金属の複合体であり、少なくとも前記第２取付金具の嵌合する部分を金属部としたことを特徴とする。
【０００９】
請求項５は上記請求項４において、前記ダイアフラムの上へ仕切り部材を乗せ、さらにその上から第２取付金具を重ねてその先端部と前記樹脂製ブラケットの金属部分先端部とを結合することにより、積み上げ式で組立てたことを特徴とする。
【００１０】
請求項６は上記請求項5において、前記第２取付金具の外周部に空気の逃げ凹部を形成したことを特徴とする。
【００１１】
請求項７は上記請求項５において、前記第２取付金具の外周部にシールを設けたことを特徴とする。
【００１２】
請求項８は上記請求項６において、前記ダイアフラムの外周部と樹脂製ブラケットの金属が非接着であることを特徴とする。
【発明の効果】
【００１３】
請求項１によれば、ダイアフラムを樹脂製ブラケットと一体化したので、樹脂製ブラケットの成形と同時に一体化できる。このため、組立時にダイアフラムをカシメで固定する工程が不要となり、工数を削減できる。また、従来必要であったダイアフラムのリング金具を省略でき、部品点数の削減及び軽量化が可能になる。さらに、樹脂製ブラケットとダイアフラム間は一体化により確実にシールされるので、構成部品の公差や組立制度によってシール性にバラつきが生じることもない。
【００１４】
請求項２によれば、樹脂製ブラケットとダイアフラムの結合部に接着剤を介在させたので樹脂製ブラケットとダイアフラムの結合をより強力にして確実なシール性を確保できる。
【００１５】
請求項３によれば、ダイアフラムの外周部をテーパー状にしたので、樹脂製ブラケットと一体化するため金型内へセットするときは位置決めとなり、かつ成形圧によりダイアフラムの外周部を外方へ押し出すように変形させて樹脂製ブラケット側との密着を強固にする。これにより樹脂成形時の圧力低下を小さくして、樹脂の成形後における品質を安定化できる。
【００１６】
請求項４によれば、樹脂製ブラケットを樹脂と金属の複合体とし、少なくとも第２取付金具の嵌合する部分を金属部としたので、樹脂製ブラケットであっても第２取付金具を圧入により一体化できる。
【００１７】
請求項５によれば、積み上げ式で組み立て、樹脂製ブラケットの金属を第２取付金具の各先端部をカシメ等の適宜手段により結合一体化するだけで組み立てることができる。
【００１８】
請求項６によれば、樹脂製ブラケットと重なる第２取付金具の外周部に空気の逃げ凹部を形成したので、積み上げ式で組立てるときにおける空気の逃げを確保できる。
【００１９】
請求項７によれば、第２取付金具の外周部にシールを設けたので、積み上げ式で第２取付金具の一端をカシメ等の結合により固定するとき、シールを確実にする。
【００２０】
請求項８によれば、ダイアフラムの外周部と樹脂製ブラケットの金属部分とを非接着にしたので、成形時におけるダイアフラムの外周部の変形により金属部分に強く圧着させてシール性を確保できる。これにより樹脂成形時の圧力低下を小さくして、樹脂の成形後における品質の安定化と、金属部への樹脂バリの発生を抑制できる。
【発明を実施するための最良の形態】
【００２１】
以下、図面に基づいて自動車の液封エンジンマウントに適用した実施形態を説明する。図１〜図９は第１実施例に係り、図１は液封エンジンマウントの側面図、図２はその平面図、図３は図２の３−３線断面図、図４は要部の拡大断面図、図５は図４のＡ部拡大図、図６はダイアフラムの一体化工程を示す図、図７は組立説明図である。
【００２２】
図１及び図２に示すように、エンジンマウント１は防振本体部２と複合樹脂ブラケット３とを一体化したものである。防振本体部２は振動源である図示省略のエンジンへ取付けられるための第１取付金具４と、入力振動で弾性変形する防振ゴム等からなるインシュレータ５等を備える。６は防振本体部２の上部から突出する一体ボルトである。複合樹脂ブラケット３は防振本体部２の下部の周囲へ一体化され、その取付部３０を図示省略の振動受け側である車体へ取付けられる。
【００２３】
図３に明らかなように、このエンジンマウント１は液封式であり、インシュレータ５の図示状態下部と一体化した円筒金具７（第２取付金具）と、その下側開口部を覆うダイアフラム８とにより、防振本体部２の内部を液室とし、この内部をさらに仕切り部材９で主液室１０と副液室１１に区画し、両液室を仕切り部材９に形成した共振オリフィス１２で連結したものであり、液室内には公知の非圧縮性液体が封入されている。
【００２４】
仕切り部材９には、中央に円形の穴１３を設けてここに可撓性弾性部材１４を設けて内圧上昇を吸収するようになっている。図中の符号１５はエンジンへ取付けるためのエンジンハンガブラケットであり、ここに第１取付金具４が連結される。
【００２５】
図４に示すように、複合樹脂ブラケット３は金属補強部１７と樹脂部１８との複合体である。金属補強部１７の軸方向中間部は圧入部２０をなし、この内側に円筒金具７が圧入されて一体化される。圧入部２０の周囲は樹脂部１８で覆われない。但し、圧入部２０のうち大入力部位には部分的に外側が樹脂補強部２１で部分的に補強されている。
【００２６】
金属補強部１７は鉄等の高強度を有する適宜金属材料よりなり、図示状態の下端部に外向きの下フランジ２５を設け、その近傍をリブ２６で補強した円筒状をなし、この下端部を除き外周面が中心軸と平行なストレートになっており、上端部に爪２９が形成されている。この爪２９は内側へ折り曲げられて内側に重なる円筒金具７の上端部を固定する。
【００２７】
樹脂部１８は、６−６ナイロン等公知の適宜材料を用い、射出成形等の適宜方法により金属補強部１７と一体に成形される。射出成形を例にすれば、予め型内へ金属補強部１７を配置し、十分に高い射出圧で一体に成形する。この成形は複合樹脂ブラケット３を防振本体部２とは別に成形できるので、防振本体部２側に対する変形等の悪影響を気にせず、必要十分な高圧で成形できるから、成形精度を高めることができる。
【００２８】
樹脂部１８は、金属補強部１７が一体化されている樹脂円筒部１９と取付部３０を略Ｌ字状断面をなすように一体形成したものであり、取付部３０は樹脂円筒部１９の下端から略直角に屈曲して外側へ張り出す部分であって、予めインサートされているカラー５３（図２、９参照）等によってボルト等の締結部材（いずれも図示省略）により車体側へ取付ける部分である。取付部３０の肉厚をｔ１、樹脂円筒部１９の肉厚をｔ２とすれば、ｔ１＞ｔ２又はｔ２＞ｔ１である。
【００２９】
円筒金具７は金属製の筒状体であり、上端は外向きフランジ２８をなし、それより下方は径一様のストレート構造であり、この部分を先頭にして複合樹脂ブラケット３の圧入部２０へ圧入することができる。但し、円筒金具７の上端部は部分的に外向きフランジ２８を形成しないストレート部２７をなし、この上に補強金属部１７の上端に形成された爪２９を折り曲げるようになってる。
【００３０】
図５に明らかなように、円筒金具７の外周部には上下方向の溝状をなす空気逃げ凹部３４が形成され、この空気逃げ凹部３４は円筒金具７の上下端部へ達している。さらに、円筒金具７の外周部にはインシュレータ５から連続する部分で構成される等の適宜材料からなるシール２３が一体に形成され、金属補強部１７との間に介装されている。空気逃げ凹部３４はこのシール３４に形成され、シール３４の上端部は空気逃げ凹部３４を閉塞するシール突起２３ａをなし、金属補強部１７と円筒金具７の各上部間を爪２９の近傍にて密にシールしている。
【００３１】
再び、図４及び図３ににおいてさらに細部構造を説明する。仕切り部材９は上部３５と下部３６とに２分割され、下部３６はダイアフラム８の外周部３３の上へ当接して支持され、外周部３３によりシールされる。下部３６の下端フランジ３７の外周は下部３６と同径であり、その上に円筒金具７の下端が当接する。また、円筒金具７の内側にはインシュレータ５から一体に下方へ伸びるライナー部４０により覆われ、その下端４０ａが下端フランジ３７へ密着してシールする。
【００３２】
上部フランジ３８は下端フランジ３７より小径であり、その外周部はライナー部４０の内周へ密接してシールする。この上部フランジ３８の外周上部にライナー部４０の一部から内側へ張り出す段部４１にて密着シールしている。上部３５と下部３には共振オリフィス１２が形成されている。
【００３３】
次に、複合樹脂ブラケット３とダイアフラム８の一体化について説明する。図６に示すように、金型４２、４３、４４によって形成されるキャビティ４５内へ補強金具１７とダイアフラム８を入れ、ダイアフラム８は外周部３３をキャビティ４５内へ臨ませて金型４３と４４の間で挟む。
【００３４】
このとき、外周部３３の受け部３２と接合する下面４６は接着剤４７を塗布しておく。また、外周部３３の外周面４８は接着剤を設けない非接着面とし、補強金具１７と接着剤を介さずに密接させる。
【００３５】
この状態でキャビティ４５内へ溶融樹脂を所定の高い成形圧で注入することにより、補強金具１７をインサートした樹脂部１８が形成され、同時に受け部３２が形成されて外周部３３と一体化する。このとき、接着剤４７により下面４６と受け部３２が強固に接着一体化する。
【００３６】
また、外周面４８は樹脂の成形圧により外方へ押し出されて強く円筒金具７へ密着して確実なシールとなる。このとき外周面４８が非接着面となっているため、この弾性変形を確実にしている。
【００３７】
なお、外周部３３の上面を予め仮想線で示すような外方へ向かって高くなるテーパー面４９としてもよい。このようにすると、金型４３へセットするときの位置決めを容易とし、かつ成形圧による外方への弾性変形量を多くして補強金具１７へより強く密着することができる。
【００３８】
この液封エンジンマウント１を組立てるには、図７に示すように、複合樹脂ブラケット３とダイアフラム８が一体化した状態で、金属補強部１７の上端開口部を上に向け、内部へ液体を充填してから、仕切り部材９を金属補強部１７の内側へ挿入し、下端フランジ３７を外周部３３上へ乗せる。
【００３９】
さらにその上から予め第１取付金具４及びインシュレータ５と一体化された円筒金具７を金属補強部１７における圧入部２０の内側へ挿入し、その下端を下端フランジ３７へ当接し、空気及び余剰の液体を空気逃げ凹部３４から排除しつつ、爪状をなす上端部２９を内側へ折り曲げると、シール突起２３ａが押しつぶされて円筒金具７と金属補強部１７間が密閉される。したがって、このカシメ部だけで全体がシールされて一体化される。なお、本願において、上記のようにカシメとは爪を折り曲げるものと、爪より幅の広い金属補強部１７等の端縁部を折り曲げる場合の双方を含むものとする。
【００４０】
図８は、円筒金具７の上端部と金属補強部１７の結合構造についてバリエーションを示し、図中のＡは、金属補強部１７の上端部２９を内側へ斜めに倒してシール突起２３ａをつぶし、さらに先端部を円筒金具７の上端部２７上へ略直角に折り曲げてカシメた例である。図中のＢは、円筒金具７の上端部２７を外方へ折り曲げて、シール突起２３ａをつぶしながら金属補強部１７の上端部２９を一緒に外方へ倒して拡径することにより固定した例である。拡径でも金属補強部１７側の反力により強く結合できる。
図中のＣは、金属補強部１７の上端部２６のみを内側へ斜めに倒してシール突起２３ａをつぶしながら先端部を円筒金具７の上端部２７側面へ密接させた縮径により固定する例である。これらいずれの場合、空気及び余剰の液体を空気逃げ凹部３４から排除しつつ行う作業が最も容易になる。
【００４１】
次に、本実施例の作用を説明する。ダイアフラム８の外周部３３を複合樹脂ブラケット３と一体化したので、複合樹脂ブラケット３の成形と同時に一体化できる。このため、組立時にダイアフラム８をカシメで固定する工程が不要となり、工数を削減できる。また、従来必要であったダイアフラム８のリング金具を省略でき、部品点数の削減及び軽量化が可能になる。さらに、複合樹脂ブラケット３とダイアフラム８間は一体化により確実にシールされるので、構成部品の公差や組立制度によってシール性にバラつきが生じることもない。
【００４２】
また、複合樹脂ブラケット３とダイアフラム８の外周部３３との結合部に接着剤４７を介在させたので、複合樹脂ブラケット３とダイアフラム８の外周部３３との結合をより強力にして確実なシール性を確保できる。そのうえ、ダイアフラム８の外周部３３の上面等をテーパー面４９にすれば、複合樹脂ブラケット３と一体化するため金型内へセットするときは位置決めとなり、かつ成形圧によりダイアフラム８の外周部３３を外方へ押し出すように変形させて複合樹脂ブラケット３の補強金属部１７との密着を強固にする。これにより樹脂成形時の圧力低下を小さくして、樹脂の成形後における品質を安定化できる。
【００４３】
さらに、複合樹脂ブラケット３を樹脂と金属の複合体とし、少なくとも円筒金具７の嵌合する部分を金属部としたので、複合樹脂ブラケット３であっても円筒金具７を圧入により一体化できる。
【００４４】
また、積み上げ式で組み立て、複合樹脂ブラケット３の補強金属部１７と円筒金具７の各先端部を爪形状等の上端部２９によるカシメにより結合一体化するだけで組み立てることができる。このとき、複合樹脂ブラケット３と重なる円筒金具７の外周部に空気の逃げ凹部３４を形成したので、積み上げ式で組立てるときにおける空気の逃げを確保できる。また、円筒金具７の外周部にシール２３を設けたので、積み上げ式で円筒金具の一端をカシメ等による結合にて固定するときシールを確実にする。
【００４５】
さらに、ダイアフラム８の外周部３３と複合樹脂ブラケット３の補強金属部１７とを非接着にしたので、成形時におけるダイアフラム８の外周部３３の変形により補強金属部１７へ強く圧着させてシール性を確保できる。これにより樹脂成形時の圧力低下を小さくして、樹脂の成形後における品質の安定化と、金属部への樹脂バリの発生を抑制できる。
【００４６】
図９及び図１０により第２実施例を説明する。図９は図３と同様の断面図であり、図１０は組立方を示す分解図である。この例は組立方が前実施例と逆の積み立てになっており、かつ最後の固着をダイアフラム側にしたところが大きな相違点である。なお、前実施例と共通する部分には共通符号を用いる。
【００４７】
図９において、複合樹脂ブラケット３はインシュレータ５と予め一体化されており、この中に仕切り部材９が挿入され、さらにその下へダイアフラム８が重ねられ、ダイアフラム８の厚肉になった外周部３３を補強金具部１７の下端部５０でカシメている。ダイアフラム８の外周部３３は、断面略Ｌ字状をなす取付リング５１と一体化されており、その外側へ補強金具部１７の下端部５０を折り曲げて重ねることにより、この一カ所のカシメにより固定される。このとき、下端部５０と取付リング５１の間は外周部３３の一部でシールされる。
【００４８】
結合構造のバリエーションとして、前記した図８と同様に、拡径、縮径、爪曲げ等が適宜使用可能である。図中の符号５２は仕切り部材９のゴム部である下部３６を嵌合して一体化するカップ状の底部金具であり、下部３６の下面を支持するとともに取付リング５１によって位置決めされる。インシュレータ５及び仕切り部材９の構造は前実施例と同じである。符号６３は取付部３０へ一体化されるカラー等の締結用部材であり、これを利用してボルト等の締結部材（図示省略）で車体側へ取付けられる。
【００４９】
この液封エンジンマウント１を組立てるには、図１０に示すように、複合樹脂ブラケット３とダイアフラム８が一体化した状態で、金属補強部１７の上端開口部を上に向け、内部へ液体を充填してから、仕切り部材９を金属補強部１７の内側へ挿入し、下端フランジ３７を外周部３３上へ乗せる。
【００５０】
この液封エンジンマウント１を組立てるには、図１０に示すように、複合樹脂ブラケット３と第１取付金具４及びインシュレータ５が一体化した状態で、これを反転させて複合樹脂ブラケット３の下端開口側を上に向けて内部へ液体を充填し、続いて仕切り部材９を金属補強部１７の内側へ挿入し、上部フランジ３８を段部４１に当て、下端フランジ３７をライナー部４０の端部に当て、さらにダイアフラム８を入れ、その取付リング５１の一部で底部金具５２を押さえる。
【００５１】
この状態で、補強金属部１７の下端５０を内側へ折り曲げて外周部３３へ密着するようにカシメると、各位置決め部が密着シールされて全体が固着一体化される。したがって、下方からの積み立て式でも容易に組立てることができ、かつ全体を積み立てた最後に、補強金属部１７の下端５０をカシメるだけ、すなわち一カ所のカシメだけで組立が完成するため、極めて作業効率が優れている。もちろんカシメ以外の前記他の結合手段を採用できる。
【００５２】
したがって本願には、樹脂ブラケットを使用するとともに、樹脂ブラケットの円筒部内へ、インシュレータ、仕切り部材及びダイアフラムを有する防振本体部を積み立て式で組立てる液封防振装置において、樹脂ブラケットとして複合樹脂ブラッケトを採用し、この複合樹脂ブラッケトの補強金属部を結合に利用すれば、複合樹脂ブラッケトの端部に突出させた補強金属部を結合させるだけで全体を一体化して組立てることができることが示されている。
【００５３】
この場合、第１実施例のように、複合樹脂ブラッケトの端部に突出する補強金属部が上方になるように配置し、樹脂ブラケットの円筒部内下部にダイアフラム支持部を設け、円筒部内へ上方よりダイアフラム、仕切り部材及びインシュレータを順に入れて積み上げてから、前記複合樹脂ブラッケトの端部に突出する補強金属部を曲げることにより、全体を結合一体化することができる。この場合には、ダイアフラムを底部側にして積み立てる形式になる。なお、この組立方にのみ着目した場合、第１実施例におけるように、ダイアフラムを複合樹脂ブラッケトと予め一体化しておくことは、必ずしも必要ではない。
【００５４】
また、第２実施例のように、複合樹脂ブラッケトを構成する円筒部の一端部にインシュレータを一体化し、この部分を下にして、円筒部の他端開口部側を上方になるように配置し、かつこの上端部に補強金属部の一端を露出させた状態で、円筒部内へ上方より仕切り部材及びダイアフラムを順に入れて積み上げてから、前記複合樹脂ブラッケトの端部に突出する補強金属部をダイアフラムの外周部へ曲げることによっても、全体を結合一体化することができる。この場合には、インシュレータを底部側にして積み立てる形式になる。
【００５５】
さらに、補強金属部１７の下端５０をダイアフラム８の取付リング５１とカシメることにより固定することもできる。図８のＤ〜Ｆはこの例を示す。ダイアフラム８の取付リング５１を補強金属部１７と平行に下方へ延ばしておき、Ｄに示すように、下端５０を取付リング５１の下端上へ略直角に折り曲げてカシメにより固定する。なお、このような曲げとして、周方向へ広範囲に曲げるカシメや、爪状にした比較的狭い範囲を曲げる爪曲げがある。このいずれでもよい。また、Ｅに示すように補強金属部１７の下端５０を取付リング５１と一緒に縮径するか、Ｆに示すように拡径することにより固定できる。カシメ等の結合相手側は取付リング５１以外の他の部材を利用することもできる。
さらに、このような機械的結合のみならず、溶接や接着等を利用して結合させることもできる。
【００５６】
さらに、第２取付金具（円筒金具７）と補強金属部１７の結合は、このような機械的結合のみならず、溶接や接着等を利用して結合させることもできる。また、複合樹脂ブラケット３の補強金属部１７に対してインシュレータ５を焼き付け又は接着等により一体化してもよい。この場合も、インシュレータ５と別の場所で第２取付金具と補強金属部１７を結合する。
【００５７】
なお、本願発明は上記の実施形態に限定されるものではなく、発明の原理内において種々に変形や応用が可能である。例えば、エンジンマウントに限らず液封及び非液封の各種防振装置に適用できる。また、上記実施例から読み取ることができる上位概念等の本願における他の特徴点を以下に列挙する。
【００５８】
１．振動源へ取付けられる第１取付金具と、振動受側へ取付けられる樹脂製ブラケットと、この樹脂製ブラケットに嵌合する第２取付金具と、この第２取付金具と第１取付金具を結合する弾性体のインシュレータと、このインシュレータの内側に形成される液室と、この液室内を仕切る仕切り部材と、液室の開口端を塞ぐダイアフラムとを備えた液封防振装置において、前記樹脂製ブラケットは樹脂と金属の複合体であり、その端部に設けた金属部をカシメ、拡径又は縮径もしくは溶接や接着等により他の部分と結合すること。
これにより、樹脂製ブラケットを樹脂と金属の複合体とし、その端部に設けた金属部により、樹脂製ブラケットであっても、カシメ等の確実かつ耐久性のある結合方法にて他の部分と一体化できる。
すなわち、複合樹脂ブラケットの金属部を利用することにより、カシメ等の上記結合が実質的に可能になった。仮に樹脂部へ直接カシメると、結合部分の樹脂がへたるため耐久性に乏しく、溶接は樹脂相手に不可能であり、接着も樹脂に対する強力かつ耐久性のある接着が難しいため、実質的に樹脂ブラケットに対する第２取付金具のカシメ等による結合は不可能であった。
【００５９】
２．上記１において、前記樹脂製ブラケットに支持された前記ダイアフラムの上へ仕切り部材を乗せ、さらにその上から前記樹脂製ブラケットの金属部分先端部とをカシメ等で結合することにより、積み上げ式で組立てたこと。
これにより、積み上げ式で容易に組立てできる。
【００６０】
３．上記１において、インシュレータを下にして、ブラケット内へ仕切り部材を乗せ、さらにその上にダイアフラムを重ねてから前記樹脂製ブラケットの金属部分先端部とをカシメ等で結合することにより、積み上げ式で組立てたこと。
これにより、２と同様に積み上げ式で容易に組立てできる。
【００６１】
４．上記２又は３において、カシメ等の結合前に金属部を重ねてその先端部と前記樹脂製ブラケットの金属部分先端部とをカシメ等で結合すること。
これにより、樹脂製ブラケットを樹脂と金属の複合体とし、金属部と結合するので、樹脂製ブラケットであっても金属同士の強固な結合ができる。
【００６２】
５．上記４．において、カシメる相手の金属部を第２取付金具とすること。
これにより、樹脂製ブラケットを樹脂と金属の複合体とし、少なくとも第２取付金具の嵌合する部分を金属部としたので、樹脂製ブラケットであっても第２取付金具と金属同士の結合ができる。
【００６３】
６．上記１．において、複合樹脂ブラケットに対してインシュレータを焼き付け又は接着等により一体化すること。
これにより、インシュレータを焼き付けた防振装置における第２取付金具の固定構造にも利用できる。
【図面の簡単な説明】
【００６４】
【図１】第１実施例に係る液封エンジンマウントの側面図
【図２】その上面視図
【図３】図２の３−３線断面図
【図４】図３における要部の拡大断面図
【図５】図４のＡ部拡大図
【図６】ダイアフラムの一体化方法を示す図
【図７】エンジンマウントの組立を示す図
【図８】結合構造のバリエーションを示す図
【図９】第２実施例に係る、図３に相当する断面図
【図１０】エンジンマウントの組立を示す図
【符号の説明】
【００６５】
１：エンジンマウント、２：防振本体部、３：複合樹脂ブラケット、４：第１取付金具、５：インシュレータ、６：一体ボルト、７：円筒金具、８：ダイアフラム、９：仕切り部材、１０：主液室、２３：空気逃げ部、２９：爪形状等をなす上端部、３２：受け部、３３：外周部、３４：シール、４７：接着剤、５０：端部、５１：取付リング
【図１】
2006189061.tif 000003
【図２】
2006189061.tif 000004
【図３】
2006189061.tif 000005
【図４】
2006189061.tif 000006
【図５】
2006189061.tif 000007
【図６】
2006189061.tif 000008
【図７】
2006189061.tif 000009
【図８】
2006189061.tif 000010
【図９】
2006189061.tif 000011
【図１０】
2006189061.tif 000012